(57)【要約】【課題】光源ホルダを本体ケースに取着する際に端子部に加わる負荷を低減する。【解決手段】表示灯は、箱状に形成され前面に開口が開設された本体ケースの前面に取着される光源ホルダを備える。光源ホルダは、光源が実装された基板を収容する。基板は、端子部として、端子パターンが形成された端片を備える。本体ケースには、基板の端片が接続するソケット５０が固定される。ソケット５０は、コンタクト６０とコンタクト６０を収容したハウジング５１とを備える。コンタクト６０は、板ばねから成り、基板の端片が当接する当接部６１と、後端部がハウジング５１に設けられた回転軸５３ｄに固定され、前端が当接部６１に結合する弾性部６２とを備える。コンタクト６０は、弾性部６２により、基板の端片が当接すると基板の厚み方向に移動し、基板に加わる負荷を低減する。【選択図】図１
2010277734.tif 000002
【特許請求の範囲】
【請求項１】
箱状に形成され前面が開放された本体ケースと、透光性材料から成り本体ケースの前面に取着された表示パネルと、透光材料で板状に形成されて表示パネルの後面側に配置され、厚み方向に沿う一端面である入射面に入射した光を表示パネル側の出射面から出射する導光板と、一方向に長い形状に形成されるとともに光源を保持し、前方より本体ケースの前面に取着されて導光板の入射面に沿う光源ホルダと、光源ホルダに後方に突出する形で設けられた端子部と、光源ホルダが本体ケースに取着されると端子部が接続する接続部材とを備え、本体ケースは、少なくとも光源ホルダの長手方向に移動自在に接続部材を保持していることを特徴とする表示灯。
【請求項２】
前記接続部材は、板ばねからなるコンタクトを備え、コンタクトは、端子部が当接する当接部と、一端部が当接部に結合し他端部が定位置に固定され導光板の入射面の長手方向に弾性を有する弾性部とを備えるとともに、光源ホルダの長手方向において、接続部材を収容する部材の壁との間に隙間が設けられていることを特徴とする請求項１に記載の表示灯。
【請求項３】
前記接続部材は、前記端子部が当接するコンタクトと、コンタクトを保持するハウジングとを備え、前記本体ケースは、ハウジングの外面に当接することによりハウジングの移動を規制する複数個の保持部を備え、導光板の入射面の長手方向におけるハウジングの移動を規制する保持部は、当該長手方向にハウジングが移動可能に設けられていることを特徴とする請求項１に記載の表示灯。
【発明の詳細な説明】
【技術分野】
【０００１】
本発明は、箱状の本体ケースの前面に、光源を保持する光源ホルダと、光源からの光により照明される表示パネルとを取着する表示灯に関するものである。
【背景技術】
【０００２】
従来より、箱状の本体ケースを備えた本体に、光源を有する光源ユニットと、透光性材料からなる表示パネルを備えた表示ユニットとを取着する表示灯が提供されている。本体ケースは、前面に開口が開設され、この開口面に光源ユニットと表示ユニットとが取着される。この種の表示灯は、表示パネルに誘導標識を表記し、本体ケースを天井や壁に取り付けて誘導灯に用いる用途がある。
【０００３】
図１４、１５に示す誘導灯では、本体１は、光源３１を点灯させる点灯装置１２を本体ケース１０に収容した構成を有している。点灯装置１２には、リード線４１を介してコネクタ４２が接続されている。
【０００４】
表示ユニット２は、表示パネル２１の後面側に透光性材料から成る導光板（図示せず）を配置した構成を有している。導光板と表示パネル２１とは、導光板の上端面である入射面を除く端面を覆うパネルケース２３により支持されている。表示ユニット２は、本体ケース１０の開口面の上部以外を閉塞する形で本体ケース１０の前面に取着される。
【０００５】
導光板では、入射面に入射した光は、前面である出射面と後面とで内部反射を繰り返して導光される。出射面から光を出射させるため、例えば、入射面の長手方向に沿う断面Ｖ字状の溝が後面に設けられる。溝の壁面で反射された光の一部は、臨界角よりも小さい入射角で出射面に入射し、出射面から出射する。
【０００６】
光源ユニット３は、方形状の前壁と、上壁と、左右の側壁とを有する光源ホルダ３０を備え、この光源ホルダ３０に、光源３１を実装した基板４３が収容された構成を有している。また、基板４３には、光源３１と電気的に接続したコネクタ４４が実装されている。
【０００７】
光源ホルダ３０は、コネクタ４２とコネクタ４４とを接続した後、本体ケース１０の前面の上部に取着される。光源３１は、点灯装置１２により点灯され、光源３１からの光が導光板の入射面に入射する。
【０００８】
一方、基本的な構成は図１４、１５に示した誘導灯と同様であるが、図１６に示すように、コネクタ４２の代わりにソケット５０’を備え、コネクタ４４の代わりに端子部３４ｂ’を備えた誘導灯が提供されている（例えば、特許文献１参照）。ソケット５０’は、本体ケース１０の上端部の左右両端部にそれぞれ固定され、端子部３４ｂ’は、光源ホルダ３０の長手方向の左右両端部に後方に突出する形でそれぞれ設けられている。
【０００９】
また、光源ホルダ３０の長手方向の両端部には、本体ケース１０の左右の各側壁の一方の内側面に一方がそれぞれ摺接する左右一対のガイド突起３０ａが、後方に突出する形でそれぞれ設けられている。光源ホルダ３０が本体ケース１０に取着されると、各端子部３４ｂ’の一方が各ソケット５０’の一方にそれぞれ当接する。
【先行技術文献】
【特許文献】
【００１０】
【特許文献１】特開２００２−２３６５７号公報
【発明の概要】
【発明が解決しようとする課題】
【００１１】
図１４、１５に示した誘導灯では、コネクタ４４にコネクタ４２を接続する際、コネクタ４２に人的外力が加わるという問題がある。また、コネクタ４４にコネクタ４２を接続する作業と、光源ホルダ３０を本体ケース１０に取着する作業との２つの作業が必要であり、作業に手間がかかる。さらに、光源ホルダ３０を本体ケース１０に取着する際にリード線４１を光源ホルダ３０と本体ケース１０との間に挟む虞がある。
【００１２】
図１６に示した特許文献１に記載の誘導灯では、光源ホルダ３０を本体ケース１０に取着すると、端子部３４ｂ’がソケット５０’に当接するから、作業に手間がかからない。また、光源ホルダ３０を本体ケース１０に取着する際にリード線４１（図１４参照）を光源ホルダ３０と本体ケース１０との間に挟むこともない。
【００１３】
しかしながら、光源ホルダ３０を本体ケース１０に取着する際、光源ホルダ３０の長手方向の一端部が他端部に対して前または後になるように光源ホルダ３０が本体ケース１０に対して傾くと、端子部３４ｂ’に負荷が加わる。つまり、特許文献１に記載された技術を用いても、電気的接続部材（コネクタ４４、端子部３４ｂ’）に負荷が加わるという問題が依然として残る。
【００１４】
本発明は上記事由に鑑みて為されたものであり、その目的は、端子部に加わる負荷を低減できる表示灯を提供することにある。
【課題を解決するための手段】
【００１５】
請求項１の発明は、箱状に形成され前面が開放された本体ケースと、透光性材料から成り本体ケースの前面に取着された表示パネルと、透光材料で板状に形成されて表示パネルの後面側に配置され、厚み方向に沿う一端面である入射面に入射した光を表示パネル側の出射面から出射する導光板と、一方向に長い形状に形成されるとともに光源を保持し、前方より本体ケースの前面に取着されて導光板の入射面に沿う光源ホルダと、光源ホルダに後方に突出する形で設けられた端子部と、光源ホルダが本体ケースに取着されると端子部が接続する接続部材とを備え、本体ケースは、光源ホルダの長手方向に移動自在に接続部材を保持していることを特徴とする。
【００１６】
請求項２の発明は、請求項１の発明において、前記接続部材は、板ばねからなるコンタクトを備え、コンタクトは、端子部が当接する当接部と、一端部が当接部に結合し他端部が定位置に固定され導光板の入射面の長手方向に弾性を有する弾性部とを備えるとともに、光源ホルダの長手方向において、接続部材を収容する部材の壁との間に隙間が設けられていることを特徴とする。
【００１７】
請求項３の発明は、請求項１の発明において、前記接続部材は、前記端子部が当接するコンタクトと、コンタクトを保持するハウジングとを備え、前記本体ケースは、ハウジングの外面に当接することによりハウジングの移動を規制する複数個の保持部を備え、導光板の入射面の長手方向におけるハウジングの移動を規制する保持部は、当該長手方向にハウジングが移動可能に設けられていることを特徴とする。
【発明の効果】
【００１８】
本発明は、光源ホルダに設けられた端子部に接続する接続部材が、導光板の入射面の長手方向に移動自在に本体ケースに保持されているから、光源ホルダを本体ケースに取着する際に光源ホルダの長手方向の一端部が他端部に対して前または後になる形で光源ホルダが本体ケースに対して傾くことにより端子部に生じる負荷を、接続部材が移動することにより低減できるという利点がある。
【図面の簡単な説明】
【００１９】
【図１】実施形態１のソケット内部の平面図である。
【図２】同上の分解斜視図である。
【図３】同上における光源ユニットを外した状態の斜視図である。
【図４】同上の基板とソケットの斜視図である。
【図５】同上のコネクタの斜視図である。
【図６】同上のハウジングの斜視図である。
【図７】同上の本体ケースの要部を示す斜視図である。
【図８】同上のハウジングの別形態を示す平面図である。
【図９】実施形態２のソケットの動作を説明する動作説明図である。
【図１０】実施形態３を示す図であり、光源ユニットを外した状態の斜視図である。
【図１１】同上の光源ユニットの斜視図である。
【図１２】同上の端子部とソケットの斜視図である。
【図１３】同上のソケットの動作を説明する動作説明図である。
【図１４】従来例示す分解斜視図である。
【図１５】同上の光源ユニットの分解斜視図である。
【図１６】他の従来例を示す分解斜視図である。
【発明を実施するための形態】
【００２０】
本実施形態は、図２に示すように、矩形箱状に形成され前面が開放された本体ケース１０を有する本体１を備え、光源３１を有する光源ユニット３と、光源３１からの光により照明される表示パネル２１を有する表示ユニット２とにより、本体ケース１０の開口が閉塞される構成を有する。
【００２１】
本体ケース１０は、合成樹脂を用いて形成された成形品であり、例えば、図における上面が天井面に当接する形で天井に取り付けられ、または、後面が壁面に当接する形で壁に取り付けられる。以下では、本体ケース１０を天井や壁に取り付けた状態での上下左右を上下左右として説明する。
【００２２】
本体ケース１０には、本体ケース１０の底の前面に後面が当接する矩形板状の基部１１ａと、基部１１ａの４つの端からそれぞれ前方に延設された４つの保持片１１ｂとを備えた金属製の取付板１１が収容される。取付板１１は、４つの保持片１１ｂの１つがそれぞれ本体ケース１０の４つの側壁の内側面にそれぞれ当接する形で配置される。取付板１１は、例えば、保持片１１ｂと本体ケース１０の側壁にそれぞれ係合部を設け、係合部同士を係合させることにより本体ケース１０に固定される。
【００２３】
取付板１１には、光源３１を点灯させる点灯装置１２と、停電時に光源３１を点灯させるための非常用電源である２次電池１３と、天井や施工壁から引き出された給電線（図示せず）が接続される端子台１４とが、取付板１１に係合する取付ねじを用いて取り付けられる。
【００２４】
取付板１１の基部１１ａと上側の保持片１１ｂ、および、本体ケース１０の底と上壁とには、給電線を本体ケース１０内に引き込むための給電線用開口１１ｃ、１０ａがそれぞれ貫設される。給電線は、端子台１４において、点灯装置１２と２次電池１３とに電気的に接続される。
【００２５】
本体ケース１０の左右の側壁の内側面の前端部には、表示ユニット２を係止するための係止片１０ｂがそれぞれ突設され、上壁の左右両端部の内側面側には、図３に示すように、当該上壁の前面に達する断面方形状のガイド溝１０ｃが、前後方向に凹設される。ガイド溝１０ｃの底面には、嵌合孔１０ｄが開設される。すなわち、嵌合孔１０ｄは、本体ケース１０の上壁に貫設される。
【００２６】
また、本体ケース１０には、点灯装置１２に電気的に接続されたソケット５０が取着される。ソケット５０とソケット５０を本体ケース１０に取着する構成とについては後述する。
【００２７】
表示ユニット２は、図２に示すように、表示パネル２１の後面側に導光板２２を配置した構成を有する。表示パネル２１は、透光性の合成樹脂材料を用いて形成された成形品であり、文字や図形が表記される。
【００２８】
導光板２２は、透光性の合成樹脂材料を用いて形成された成形品である。導光板２２では、上端面である入射面２２ａに入射した光は、前面である出射面（図示せず）と後面である光反射面（図示せず）との間で内部反射を繰り返して導光される。出射面から光を出射させるため、入射面２２ａの長手方向（左右方向）に沿う断面Ｖ字状の溝（図示せず）が光反射面に形成される。溝の壁面で反射された光の一部は、臨界角よりも小さい入射角で出射面に入射し、出射面から出射する。また、溝の代わりに、ドット印刷を用いて、光を拡散反射させる印刷パターンを光反射面に形成してもよい。印刷パターンで拡散反射された光の一部は、臨界角よりも小さい入射角で出射面に入射し、出射面から出射する。導光板２２の光反射面側には、光反射面から漏光する光を反射する反射シートが配置される。
【００２９】
表示パネル２１と導光板２２とは、導光板２２の左右の端面と下端面と後面とを覆うパネルケース２３に支持される。パネルケース２３の左右の側壁の内側面の前端部には、表示パネル２１の前面を係止する係止片２３ｂが突設される。表示パネル２１と導光板２２とは、上方よりパネルケース２３に挿入される。
【００３０】
また、パネルケース２３の左右両部には、本体ケース１０に設けた係合片１０ａの後面に前面が係止される係合片２３ｃが設けられる。パネルケース２３は、本体ケース１０の開口の上部以外を閉塞する形で本体ケース１０の前面に取着される。
【００３１】
光源ユニット３は、方形状の前壁と、前壁の後面の長手方向の両端部（左右両端部）から後方に突出する左右の側壁と、前壁の後面の上端部から後方に突出する上壁とを有する光源ホルダ３０を備える。光源ホルダ３０は、合成樹脂を用いて成形された成形品であり、本体ケース１０に設けたガイド溝１０ｃに前方から差し込まれるガイド突起３０ａが、上壁の後面の長手方向の両端部にそれぞれ突設される。
【００３２】
ガイド突起３０ａは、厚み方向が上下方向になる板状に形成されるとともに、合成樹脂成形品である光源ホルダ３０に一体に形成され、上下方向に可撓性を有する。ガイド突起３０ａの幅寸法（左右方向の寸法）は、断面方形状のガイド溝１０ｃの幅寸法（左右方向の寸法）と略同一寸法に設定され、左右の各側面の一方がガイド溝１０ｃの左右の周壁の一方にそれぞれ当接する。ガイド突起３０ａの先端部には、本体ケース１０に設けた嵌合孔１０ｃに嵌まる嵌合凸部３０ｂが上向きに突設される。
【００３３】
光源ホルダ３０は、表示ユニット２の上側に配置されて下向き荷重が表示ユニット２に支持される。また、ガイド突起３０ａの左右の各側面の一方がガイド溝１０ｃの左右の周壁の一方にそれぞれ当接することで左右方向の移動が規制され、嵌合孔１０ｄに嵌合凸部３０ｂが嵌まることで前方への移動が規制される。
【００３４】
光源ホルダ３０には、前後方向に互いに対向するとともに光源ホルダ３０の長手方向に長い形状に形成された前壁および後壁と、左右方向の全長に亘って前壁の上端部と後壁の上端部とを結合する上壁とを備えた収納ケース３２が収容される。光源ホルダ３０には、例えば、収納ケース３２に係合する係合突起が上壁や前壁の内側面に突設される。
【００３５】
収納ケース３２の長手方向の両端部には、取付部材３５と保持部材３６とにより基板３４がそれぞれ取り付けられる。各基板３４は、厚み方向が光源ホルダ３０の長手方向になるように配置され、光源３１が実装される。光源３１には、例えば、発光ダイオードを用いる。各基板３４は、後方に突出する端片３４ａをそれぞれ備える。基板３４には、プリント配線基板が用いられ、図４に示すように、端片３４ａに設けられた導体パターンに金メッキを行うことにより上下一対の端子パターン３４ｂが形成される。端子パターン３４ｂは、それぞれ光源３１に電気的に接続し、端子部を構成する。
【００３６】
図２に示す取付部材３５には、例えば、収納ケース３２に係合する係合爪が先端部に突設された係合片が設けられ、収納ケース３２とともに基板３４を挟み込む形で収納ケース３２に取着される。
【００３７】
また、収納ケース３２は、一対の導光部材３３を収納する。収納ケース３２の前壁の内側面と後壁の内側面とには、例えば、導光部材３３に係合する係合突起が突設される。収納ケース３２は、反射率の良い金属製材料で形成される。または、合成樹脂材料で形成するとともに前後の壁や上壁の内側面に反射膜を形成する。
【００３８】
各導光部材３３は、光源ホルダ３０の長手方向（左右方向）に長い棒状ないし線状にそれぞれ形成される。具体的には、長手方向の一端部から他端部に向かって上下幅が次第に小さくなる先細りする形状に形成される。各導光部材３３は、先細りする先端同士が互いに突き合わされる形で配置され、長手方向に沿う一面である光導出面３３ｂが導光板２２の入射面２２ａに沿うとともに、長手方向の一面である光導入面３３ａが光源３１に対向する。
【００３９】
光源３１からの光は、導光部材３３の光導入面３３ａに入射し、光導出面３３ｂと、導光板２２とは反対側の面である光反射面３３ｃとの間で内部反射を繰り返して導光される。光反射面３３ｃには、光導出面３３ｂから光を出射させるため、導光板２２と同様に、前後方向に断面Ｖ字状の溝が形成される。また、溝の代わりに、導光板２２の場合と同様に、ドット印刷を用いて、光を拡散反射させる印刷パターンを光反射面に形成してもよい。
【００４０】
導光部材３３の光導出面３３ｂと導光板２２の入射面２２ａとの間には、透光性の合成樹脂材料で板状に形成された漏光防止部材３８が配置される。漏光防止部材３８には、導光板２２の入射面２２ａに入射しない向きに導光部材３３の光導出面３３ｂから出射した光を入射面２２ａに入射するように変向するプリズム部（図示せず）が形成される。
【００４１】
漏光防止部材３８における導光部材３３側の面には、光拡散フィルム３７が配設される。拡散光が導光板２２の入射面２２ａに入射することにより、表示パネル２１の左右方向の表面輝度を均一にできる。
【００４２】
次に、ソケット５０と、ソケット５０を保持するための本体ケース１０の構成とについて説明する。ソケット５０は、光源３１と点灯装置１２とを電気的に接続するための接続部材であり、図４に示すように、ばね性を有する板状の金属材料を用いて形成されたコンタクト６０と、コンタクト６０を収容するハウジング５１とを備える。
【００４３】
コンタクト６０は、図５に示すように、左右方向に互いに対向する一対の弾性部６２と、左右方向に互いに対向するとともに２つの弾性部６２間に配置され弾性部６２の前端に前端が結合する一対の当接部６１とを備える。一対の弾性部６２は、後端部の上端同士が結合部６４により結合される。また、一方の弾性部６２の後端には、接続片６３が結合される。接続片６４には、点灯装置１２（図２参照）に一端が接続されたリード線４５（図１参照）の他端が接続される。
【００４４】
ハウジング５１は、前後方向に長い角筒状に形成される。ハウジング５１の左右の壁である各側壁５２には、ハウジング５１の内部空間を上下に分割する中壁５３がそれぞれ結合する。ハウジング５１の上下の壁である上下壁５４の左右方向の一端部は、図１、６に示すように、一方の側壁５２の上端部または下端部と薄肉のヒンジ５５を介してそれぞれ結合され、開閉自在になっている。他方の側壁５２の上下両端部には、係合孔５２ａがそれぞれ貫設される。一方、各上下壁５４の厚み方向の一面には、係合孔５２ａに嵌まる係合凸部５４ａがそれぞれ突設される。各上下壁５４は、コンタクト６０をハウジング５１内に配置した後、閉じられる。また、係合孔５２ａが設けられた方の側壁５２の上下両端部には、リード線４５をハウジング５１内に引き込むための引込溝５２ｂが設けられる。
【００４５】
ハウジング５１の中壁５３の前後両端部には、基板３４の端片３４ａが差し込まれる切欠溝５３ａがそれぞれ設けられる。コンタクト６０は、一対の当接部６１が切欠溝５３ａの上または下になるように、中壁５３の上下両側にそれぞれ配置される。
【００４６】
中壁５３の上下両面における前後両部には、コンタクト６０の結合片６４が差し込まれるスリット５３ｃが設けられたリブ５３ｂと、コンタクト６０の２つの弾性部６２の後部間に挟まれる回転軸５３ｄとがそれぞれ突設される。上述したように一対の弾性部材６２の後端部同士は結合部６４で結合されているから、弾性部６２の後端部は回転軸５３ｄにより固定される。
【００４７】
したがって、弾性部６２は、回転軸５３ｄを中心に回転でき、弾性部６２の前端が左右方向でき、その結果、弾性部６２の前端に結合した当接部６１が左右方向（すなわち、基板３４の厚み方向）に移動することができる。ハウジング５１の左右の各側壁５２の内側面間の寸法は、当接部が左右方向に移動できるように、左右方向のコンタクト６０の最大寸法よりも大きく設定され、コンタクト６０と側壁５２との間には隙間が設けられている。
【００４８】
ハウジング５１の上下両面の前後方向の両端部の左右方向の一端部（ヒンジ５５が結合していない方の端部）には、ハウジング５１を本体ケース１０に取着するための規制凸部５４ｂがそれぞれ突設される。規制凸部５４ｂは、ヒンジ５５が結合する端部側から規制凸部５４ｂが設けられた端部側に向かうに従い突出寸法が大きくなる断面直角三角形状に形成され、側面が上下壁５４の側面と面一になる。
【００４９】
また、ハウジング５１の上下両面には、前後一対の規制片５４ｃがそれぞれ突設される。前側の規制片５４ｃは、前側の規制凸部５４ｂの後方に設けられ、後側の規制片５４ｃは後側の規制凸部５４ｂの前方に設けられる。規制凸部５４ｂは、ハウジング５１の上面に略平行な先端面を有する台形状に形成される。
【００５０】
ソケット５０は、光源ホルダ３０が本体ケース１０に取着されたときに基板３４の端片３４ａがコンタクト６０の一対の当接部６１間に差し込まれる位置に配置される。すなわち、ソケット５０は、本体ケース１０の上端部の左右両端部にそれぞれ配置される。
【００５１】
本体ケース１０の左右の各側壁の内側面の上部には、図７に示すように、前後一対の支持片８１がそれぞれ突設される。各支持片８１の下端部からは、互いに近づく向きに支持凸部８１ａがそれぞれ突設される。すなわち、支持片８１と支持凸部８１ａとで前後一対の段差が形成され、ハウジング５１は、前側の規制片５４ｃの前面が前側の支持片８１の後面に当接し後側の規制片５４ｃの後面が後側の支持片８１の前面に当接する形で段差に嵌まり、前後方向の移動が規制される。
【００５２】
また、各支持片８１の先端部には、上向きに保持凸部８１ｂがそれぞれ突設される。さらに、本体ケース１０の上壁の内側面の左右両端部には、前後一対の保持突起８２が、支持片８１に設けられた保持凸部８１ｂに対向するように突設される。
【００５３】
支持片８１の上面と本体ケース１０の上壁の内側面との間の寸法は、ハウジング５１の上面に設けられた規制凸部５４ｂの先端と下面に設けられた規制凸部５４ｂの先端との間の寸法と略同一寸法に設定される。すなわち、支持片８１の上面がハウジング５１の下面に設けられた規制凸部５４ｂの先端に当接し、本体ケース１０の上壁の内側面がハウジング５１の上面に設けられた規制凸部５４ｂの先端に当接する。従って、ハウジング５１は、上下方向の移動が規制される。
【００５４】
また、本体ケース１０の左右の側壁の内側面と支持片８１に設けられた保持凸部８１ｂの当該内側面側の側面との間の寸法は、ハウジング５１の上下壁５４の左右方向の寸法と略同一寸法に設定される。上述したように、規制片５４ｃの側面は上下壁５４の側面と面一に形成されるから、本体ケース１０の側壁の内側面がハウジング５１の側壁５２に当接し、保持凸部８１ｂが規制片５４ｃに当接する。また、体ケース１０の左右の側壁の内側面と本体ケース１０の上壁に設けられた保持突起８２の当該内側面側の側面との間の寸法は、ハウジング５１の上下壁５４の左右方向の寸法と略同一寸法に設定される。したがって、本体ケース１０の側壁の内側面がハウジング５１の側壁５２に当接し、保持突起８２が規制片５４ｃに当接する。ハウジング５１は、保持凸部８１ｂ、保持突起８２により左右方向の移動が規制される。
【００５５】
ハウジング５１は、上述のように、前後左右および上下の移動が規制され、本体ケース１０に固定される。
【００５６】
また、保持突起８２は、本体ケース１０の左右方向の中央部から本体ケース１０の左右の側壁に向かうに従って突出寸法が大きくなるような断面直角三角形状に形成される。さらに、支持片８１の先端部に設けられた保持凸部８１ｂは、本体ケース１０の左右方向の中央から本体ケース１０の左右の側壁に向かうに従って突出寸法が大きくなるように形成される。ハウジング５１は、上面に設けられた規制凸部５４ｂが本体ケース１０の上壁に設けられた保持突起８２に当接し、下面に設けられた規制凸部５４ｂが支持片８１に設けられた保持凸部８１ｂに当接するように本体ケース１０の左右方向の中央部側から支持片８１に近づけられる。上述したように、ハウジング５１に設けられた規制凸部５４ｂは、断面三角形状に形成されているから、規制突起８２および保持凸部８１ａと、規制凸部５４ｂとが摺接する。ここに、支持片８１は、合成樹脂成形品である本体ケース１０に一体に形成され、可撓性を有する。したがって、支持片８１が撓むことで、ハウジング５１を支持片８１と本体ケース１０の上壁との間に嵌め込むことができる。
【００５７】
ところで、ハウジング５１は、上述したように、規制凸部５４ｂと規制片５４ｃとはハウジング５１の前部と後部とにそれぞれ設けられている。したがって、前後を反転されることにより、本体ケース１０の左右両部のいずれにも取着することができる。また、切欠溝５３ａ、リブ５３ｂ、回転軸５３ｄは、中壁５３の前後両部にそれぞれ形成され、前部と後部とのいずれにもコンタクト６０を配置することができる。したがって、１種類のハウジング５１とコンタクト６０とで、本体ケース１０の左部に取着するソケット５０と、本体ケース１０の右部に取着するソケット５０とを作製することができる。
【００５８】
次に、本実施形態の組立て方について説明する。表示ユニット２は、パネルケース２３に設けた係合突起２３ａと本体ケース１０に設けた係合片１０ｂとが前後方向に重ならないように本体ケース１０の開口面に配置された後、本体ケース１０の係合片１０ｂとパネルケース２３の係合片２３ａとが前後に重なるように下方にスライドされる。係合片２３ａの前面が係合片１０ｂの後面に係止され、表示ユニット２は、本体ケース１０の前面に取着される。
【００５９】
光源ユニット３は、前方より本体ケース１０の前面の上部に近づけられ、ガイド突起５１がガイド溝５３に差し込まれる。上述したように、ガイド突起５１の左右の側面の一方がガイド溝５３の左右の周壁の一方にそれぞれ当接し、光源ホルダ３０の左右方向の移動が規制されて基板３４の端片３４ａがコンタクト６０の一対の当接部６１間に差し込まれる位置にガイドされる。
【００６０】
また、上述したように嵌合凸部３０ｂが嵌合孔１０ｄに嵌まって光源ホルダ３０の前方への移動が規制されるとともに、光源ホルダ３０の下向き荷重が表示ユニット２に支持され、光源ホルダ３０は本体ケース１０に取着される。
【００６１】
光源３１の交換やメンテナンスのため光源ホルダ３０を本体ケース１０から取り外す場合は、光源ホルダ３０の前部を上方にずらして嵌合凸部５２を嵌合孔５４から外した後、光源ホルダ３０を前方に引っ張る。なお、本体ケース１０を天井に取り付けた場合において、光源ホルダ３０を上方にずらすことができるように、光源ホルダ３０の上面が本体ケース１０の上面よりも下方になるように光源ホルダ３０の上下の寸法が設定される。
【００６２】
光源ホルダ３０を本体ケース１０に着脱する際、光源ホルダ３０の左右両端部の一方が他方に対して前または後になるように光源ホルダ３０が本体ケース１０に対して傾くと、基板３４が前後方向に対して左右方向に傾いた状態でコンタクト６０に挿抜されることになる。本実施形態では、上述したようにコンタクト６０の当接部６１が左右方向に移動することができるから、光源ホルダ３０を本体ケース１０に着脱する際における端子部である基板３４の端片３４ａに加わる負荷を低減することができる。
【００６３】
ところで、図８に示すように、ハウジング５１の各側壁５２の前端面に、左右方向に互いに対向する一対のガイド凸部５２ｃをそれぞれ突設してもよい。一対のガイド凸部５２ｃの互いに対向する内側面は、前方に向かうに従いガイド凸部５２ｃの左右方向の幅寸法が次第に小さくなるように傾斜する傾斜面に形成される。基板３４の端片３４ａはガイド凸部５２ｃの当該内側面に摺接することにより、コンタクト６０の当接部６１にガイドされる。ガイド凸部５２ｃは、ハウジング５１の左右の各側壁５２の後端面にも設けられる。
（実施形態２）
実施形態１では、ソケット５０が本体ケース１０（図２参照）に固定され、ハウジング５１に収容されたコンタクト６０がハウジング５１（図１参照）内で移動可能である例を例示したが、本実施形態では、コンタクト６０がハウジング５１内に固定され、ハウジング５１が本体ケース１０に対して移動可能な例を説明する。
【００６４】
本実施形態では、図９に示すように、本体ケース１０の左右の側壁の内側面と支持片８１に設けられた保持凸部８１ｂの当該内側面側の側面との間の寸法は、ハウジング５１の上下壁５４の左右方向の寸法より大きく設定される。また、本体ケース１０の左右の側壁の内側面と本体ケース１０の上壁に設けられた保持突起８２の当該内側面側の側面との間の寸法は、ハウジング５１の上下壁５４の左右方向の寸法より大きく設定される。また、支持片８１に設けられた保持凸部８１ｂの先端と保持凸部８１ｂに対向する保持突起８２の先端との間の寸法は、ハウジング５１の上下両面にそれぞれ設けられた規制凸部５４ｂの先端間の寸法よりも小さく設定される。したがって、ハウジング５１は、左右方向に移動可能であるとともに、本体ケース１０から脱落することがない。
【００６５】
また、支持片８１の上面と本体ケース１０の上壁の内側面との間の寸法は、ハウジング５１の上下両面にそれぞれ設けられた規制凸部５４ｂの先端間の寸法より大きく設定され、ハウジング５１は上下方向に移動可能である。また、支持片８１の上面と支持凸部８１ａの上面との間の上下方向の寸法は、上下方向におけるハウジング５１の移動可能距離よりも大きく設定される。したがって、ハウジング５１が上下方向に移動しても、ハウジング５１が前述の段差から外れて本体ケース１０から脱落することがない。
【００６６】
上述より、ハウジング５１は、本体ケース１０に支持されるとともに、図の矢印に示すように上下左右に移動することができる。したがって、光源ホルダ３０を本体ケース１０に着脱する際に、端子部である基板３４の端片３４ａに加わる負荷を低減できる。
【００６７】
その他の構成は、実施形態１の構成と同様である。
（実施形態３）
実施形態２では、図２に示すように、光源ホルダ３０の長手方向の両端部で光源ユニット３と本体１との電気的接続を行う例を説明したが、本実施形態では、図１０、１１に示すように、光源ホルダ３０の長手方向の中央部で当該電気的接続を行う例を説明する。
【００６８】
本実施形態では、基板３４に端子部としての端片３４ａ（図４参照）を形成する代わりに、光源ホルダ３０の長手方向の中央部には、後方に突出する上下一対の端子部３９ａが取り付けられたケース３９が配置される。光源ホルダ３０の前壁や上壁の内側面には、例えば、ケース３９に係合する係合片が突設される。
【００６９】
端子部３９ａは、厚み方向が光源ホルダ３０の長手方向になる板状に形成され、リード線４６を介して光源３１（図４参照）に電気的に接続される。
【００７０】
一方、本体１は、ソケット５０（図２参照）に代えて、図１２に示すソケット７０を備える。ソケット７０は、コンタクト６０と、コンタクト６０を収容するハウジング７１とを備える。ハウジング７１は、角筒状に形成され、中壁５３’により内部空間が上下に分割される。各コンタクト６０は、中壁５３’の上下両側にそれぞれ配置される。
【００７１】
図１３に示すように、本体ケース１０の上壁の内側面の左右方向の中央部には、左右方向に互いに対向する一対の支持片８３が突設される。各支持片８３の先端部には、互いに近づく向きに保持凸部８４がそれぞれ突設される。各支持片８３の互いに対向する内側面間の寸法は、ケース３９の左右方向の寸法よりも大きく形成され、ハウジング７１は、左右方向に遊びを有する。また、本体ケース１０の内側面と保持凸部８４の上面との間の寸法は、ハウジング７１の上下方向の寸法よりも大きく形成され、ハウジング７１は、左右方向に遊びを有する。すなわち、ソケット７０は、図の矢印に示すように、前後左右に移動することができる。
【００７２】
その他の構成は、実施形態２と同様である。
【符号の説明】
【００７３】
１０  本体ケース
２１  表示パネル
２２  導光板
２２ａ  入射面
３０  光源ホルダ
３１  光源
３４ａ  端片（端子部）
５０  ソケット（接続部材）
６０  コンタクト
６１  当接部
６２  弾性部
７０  ソケット
７１  ハウジング
８１  支持片（保持部）
８１ａ  支持凸部（保持部）
８２  保持凸部（保持部）
８３  支持片（保持部）
８４  保持凸部（保持部）
【図１】
2010277734.tif 000003
【図２】
2010277734.tif 000004
【図３】
2010277734.tif 000005
【図４】
2010277734.tif 000006
【図５】
2010277734.tif 000007
【図６】
2010277734.tif 000008
【図７】
2010277734.tif 000009
【図８】
2010277734.tif 000010
【図９】
2010277734.tif 000011
【図１０】
2010277734.tif 000012
【図１１】
2010277734.tif 000013
【図１２】
2010277734.tif 000014
【図１３】
2010277734.tif 000015
【図１４】
2010277734.tif 000016
【図１５】
2010277734.tif 000017
【図１６】
2010277734.tif 000018